(57)【要約】【課題】マーケットにおけるニーズに応じてネールカセットの長さを選択的に短縮でき、ユーザーの操作空間を縮小でき、作業性を改善でき、且つネール収納量が減少されることはなく、且つ目前のネールカセットの長さを選択的に保持でき、複数列のネールカセットの設計を利用して一度のネール収納量を倍増させることもできる、ネールカセットを有するネールガン構造を提供する。【解決手段】ネールガン本体と、前記ネールガン本体の前部に設けられ、左右移動切り換え可能に駆動されるネールスリットアクティブベースを備えるネールカセット切り換えユニットと、前記ネールカセット切り換えユニットの底部に連結される、少なくとも二列のネールカセット同士とを有する、ネールカセットを有するネールガン構造を提供する。【選択図】      図１
2004148418.tif 000002
【特許請求の範囲】
【請求項１】
ネールガン本体と、
前記ネールガン本体の前部に設けられ、左右移動切り換え可能に駆動されるネールスリットアクティブベースを備えるネールカセット切り換えユニットと、
前記ネールカセット切り換えユニットの底部に連結される、少なくとも二列のネールカセット同士とを有することを特徴とするネールカセットを有するネールガン構造。
【請求項２】
前記ネールカセット切り換えユニットにはさらに固定ベースと弾性部材とネールカセットクランクとを有すると共に、前記固定ベースが前記ネールガン本体の前端部に固定され、且つ当該固定ベースの前端部にネール吐き出し口を有し、前記固定ベースの内部に収納空間が形成され、且つ前記ネールスリットアクティブベースが当該収納空間内に収納され、且つ前記弾性部材が前記ネールスリットアクティブベースと前記固定ベースとの間に介在され、且つ前記ネールカセットクランクが前記固定ベースに枢着され、且つ前記ネールカセットクランクが前記ネールスリットアクティブベースに当接されることを特徴とする請求項１に記載のネールカセットを有するネールガン構造。
【請求項３】
前記固定ベースのある側に二つの並列的に配列される枢着ベース同士が設けられ、且つ前記ネールカセットクランクの一端が前記二つの並列的に配列される枢着ベース同士の間に介在され、且つある枢軸によって前記ネールカセットクランクを前記二つの枢着ベース同士の間に枢着されることを特徴とする請求項２に記載のネールカセットを有するネールガン構造。
【請求項４】
前記固定ベースには固定ホールを有し、且つ当該固定ホールにはガイドロッドが固定され、また、前記ネールスリットアクティブベースには滑走ホールが形成され、且つ当該滑走ホールが滑走可能に前記ガイドロッドに組み合わせられ、それによって前記ネールスリットアクティブベースを滑走可能に前記ガイドロッドに設けることを特徴とする請求項２に記載のネールカセットを有するネールガン構造。
【請求項５】
前記固定ベースには開口を有し、当該開口に当該開口を開閉可能なパネルセットを有することを特徴とする請求項２に記載のネールカセットを有するネールガン構造。
【請求項６】
前記ネールスリットアクティブベースには少なくとも二つのネールスリット同士を有し、それらのネールスリット同士がそれぞれ前記ネールカセットと連通し、且つ前記ネールスリット同士が選択的に前記固定ベースにおけるネール吐き出し口に位置合わせでき、前記ネールスリットの前後両端部とその底部が開口状を呈することを特徴とする請求項２に記載のネールカセットを有するネールガン構造。
【請求項７】
前記ネールカセットクランクには弾き部とカム部とを備え、前記カム部が前記ネールスリットアクティブベースの外壁部に当接されると共に、当該カム部の周縁部に少なくとも二つの当接部を有することを特徴とする請求項２に記載のネールカセットを有するネールガン構造。
【発明の詳細な説明】
【０００１】
【発明の属する技術分野】
本発明はネールカセットを有するネールガン構造に係わり、特に動力によってネールを打ち出す動作を実行可能なネールガン構造に関し、複数個の内部にそれぞれ異なる仕様のネールを収納するネールカセットを有させるネールガン構造を提供し、ユーザーに気軽に所要するネールカセットを選択的に切り換えさせることができるネールガン構造を提供することをその主要な目的とする。
【０００２】
【従来の技術】
従来のネールガンは主に動力によってネールを打ち出す動作を実行するものであり、ネールを標的物の所定の位置に打ち入れさせることができるものであり、そのようなネールガンにはネールガン本体を有し、当該ネールガン本体にはネールカセットを連結し、当該ネールカセット内に収納されるネールが次々に前記ネールガン本体の前端部に供給され、前記ネールガン本体が動力によって前記ネールを打ち出す動作を繰り返すことができる。
【０００３】
しかしながら、前記の従来のネールガンの場合では、すべて単一のネールカセットを有するように設計され、使用時、単一のネールカセットに一度に一種の仕様のネールしか収納できないため、ユーザーが異なる寸法のネールを使用しようとする場合、他の仕様のネールを収納するカセットを有するネールガンに置き換えなければならなくなり、または同一のネールカセットに頻繁的にそれぞれ異なる仕様のネールを置き換え収納しなければならないため、ユーザーに大した不便さをもたらすことがあるようになっていることが現状である。且つ操作時間を多く浪費するようになる結果を招くこともある。他に、一度に多くのネール収納量を提供するために、従来の設計の場合では単に一列のネールの収納空間しか有しないため、単にネールカセットの収納長さを延長する手段しか採用できず、この長いほうのネールカセットが容易にユーザーの操作空間における障害を形成すると共に、作業性にも邪魔をすることがある。
【０００４】
そのため、前記の説明から分かるように、前記の従来のネールガンの場合では実際の使用の場合では明らかにその不便さと欠点を有し、改善される必要がある。
【０００５】
【発明が解決しようとする課題】
本発明は、並列的に配置される複数個のネールカセットを有し、それらのネールカセットの内部にそれぞれ異なる仕様のネールを収納でき、ユーザーが異なる仕様のネールを使用しようとする場合、単に使用されるネールカセットを切り換えるだけでよく、頻繁に異なる仕様のネールを収納するカセットを取り外して交換する必要がなく、操作が簡単で、使用することが便利であり、且つ効果的に作業時間を短縮でき、且つこの設計の構造を応用する場合では、メーカはマーケットにおけるニーズに応じてネールカセットの長さを選択的に短縮でき、即ち、ユーザーの操作空間を縮小でき、作業性を改善でき、且つネール収納量が減少されることはなく、且つ目前のネールカセットの長さを選択的に保持でき、複数列のネールカセットの設計を利用して一度のネール収納量を倍増させることもできる、ネールカセットを有するネールガン構造を提供することをその主要な目的とする。
【０００６】
【課題を解決するための手段】
前記の目的を図るために、本発明は、ネールガン本体と、前記ネールガン本体の前部に設けられ、左右移動切り換え可能に駆動されるネールスリットアクティブベースを備えるネールカセット切り換えユニットと、前記ネールカセット切り換えユニットの底部に連結される、少なくとも二列のネールカセット同士とを有する、ネールカセットを有するネールガン構造を提供する。
【０００７】
【発明の実施の形態】
図１と図２に示すように、本発明はネールカセットを有するネールガン構造を提供し、当該ネールガン構造にはネールガン本体１０とネールガン切り換えユニット２０とを有し、ネールカセット切り換えユニット２０がネールガン本体１０の前端部に連結されると共に、ネールカセット切り換えユニット２０によって二つの並列されるネールカセット３０，４０を連結し、第一ネールカセット３０または第二ネールカセット４０に収納されるネールを絶えずにネールガン本体１０の前端部に供給できるようにし、圧縮空気によってネールを打ち出す動作を繰り返すように実行する。前記ネールガンの打ち出す構造は従来の技術に属するので、ここでは説明を省略する。
【０００８】
図３と図４に示すように、ネールカセット切り換えユニット２０には固定ベース２１とネールスリットアクティブベース２２と二つの弾性部材２３とネールカセットクランク２４とを含み、固定ベース２１の後端部がネールガン本体１０の前端部に固定され、ネールカセット切り換えユニット２０をネールガン本体１０の前端部と連結できるようにし、且つ固定ベース２１には長型の開口２１１を有し、開口２１１には開口２１１を開閉可能なパネルセット２１２が配置されている。固定ベース２１の前端部にネール吐き出し口２１３が形成され、固定ベース２１の内部に収納空間２１４が形成され、そこにネールスリットアクティブベース２２を収納でき、収納空間２１４と開口２１１と連通しており、固定ベース２１の左側に二つの対向し合う枢着ベース２１５が設けられ、ネールカセットクランク２４を枢着できる。固定ベース２１の左右両側の前後端部に近い箇所にそれぞれ固定ホール２１６が形成され、左右に対応しあう二つの固定ホール２１６にガイドロッド２１７が固定され、ネールスリットアクティブベース２２を滑走可能にそこに配置されるようにする。
【０００９】
ネールスリットアクティブベース２２が固定ベース２１の収納空間２１４内に収納され、且つ二つのネールカセット３０，４０が適当にネールスリットアクティブベース２２の底部に連結され、ネールスリットアクティブベース２２の前後端部に近接する箇所にそれぞれ滑走ホール２２１が形成され、ガイドロッド２１７がそれらの滑走ホール２２１を貫通し、滑走ホール２２１を滑走可能にガイドロッド２１７に設けられるようにし、ネールスリットアクティブベース２２を滑走可能に二本のガイドロッド２１７に設けられるようにし、それらの二本のガイドロッド２１７によってネールスリットアクティブベース２２を固定ベース２１の収納空間２１４内において左右移動可能に案内する。ネールスリットアクティブベース２２には第一ネールスリット２２２と第二ネールスリット２２３とを有し、第一ネールスリット２２２と第二ネールスリット２２３の前後両端部と底部とが開口状を呈し、第一ネールスリット２２２と第二ネールスリット２２３とをそれぞれ第一ネールカセット３０と第二ネールカセット４０と連通できるようにし、そのため、第一ネールカセット３０と第二ネールカセット４０の内部のネール５０，６０がそれぞれ第一ネールスリット２２２と第二ネールスリット２２３に進入することができるようにする。
【００１０】
弾性部材２３がスプリングやゴムなどの弾性を有する部材であり、それらの二つの弾性部材２３がそれぞれ二本のガイドロッド同士２１７に設けられ、それらの二つの弾性部材同士２３がネールスリットアクティブベース２２の右側の外壁と固定ベース２１の右側の内壁との間に位置し、弾性部材２３によってネールスリットアクティブベース２２を左へ移動可能に付勢し、ネールスリットアクティブベース２２を左へ移動復位させる力を付与する。ネールスリットアクティブベース２２が左右に移動する場合に第一ネールスリット２２２または第二ネールスリット２２３を選択的に固定ベース２１の前端部におけるネール吐き出し口２１３に位置合わせさせることができる。
【００１１】
ネールカセットクランク２４はネールスリットアクティブベース２２を左右移動可能に推し進めるための制御部材であり、ネールカセットクランク２４には弾き部２４１とカム部２４２を有し、ネールカセットクランク２４の一端が固定ベース２１の左側の二つの対応しあう枢着ベース２１５の間に配置されると共に、一本の枢軸２４３によってネールカセットクランク２４の一端と二つの枢着ベース２１５を貫通し、ネールカセットクランク２４を固定ベース２１の二つの枢着ベース２１５の間に枢着し、こうする場合では、弾き部２４１を弾いてネールカセットクランク２４を下向いて（図３ないし図６参照）または上向いて（図７ないし図１０参照）作動させることができ、且つネールカセットクランク２４のカム部２４２がネールスリットアクティブベース２２の外壁に当接され、カム部２４２の周縁部に第一当接部２４２１と第二当接部２４２２とを有し、第一当接部２４２１と枢軸２４３との間のギャップが第二当接部２４２２と枢軸２４３との間のギャップより大きく形成される。ネールカセットクランク２４を弾いて下向いて作動させる場合に、カム部２４２が枢軸２４３とギャップがより大きい第一当接部２４２１によってネールスリットアクティブベース２２を当接することによってネールスリットアクティブベース２２を第一当接部２４２１に推し進められるようにすると共に、右へ移動させる（図３ないし図６参照）。ネールカセットクランク２４を上向いて作動させるように弾く場合、カム部２４２が枢軸２４３とのギャップがより小さい第二当接部２４２２によってネールスリットアクティブベース２２を当接してネールスリットアクティブベース２２を弾性部材２３に推し進められるようにすると共に、左へ移動させる（図７ないし図１０参照）。前記のようにすることによって本発明のネールカセットを有するネールガン構造を提供する。
【００１２】
本発明はネールカセット切り換えユニット２０によって選択的に要するネールカセット３０または４０を切り換えるものである。図３ないし図６に示すように、ネールカセットクランク２４を下向きに作動させるように弾くことによってカム部２４２を枢軸２４３とのギャップがより大きい第一当接部２４２１によりネールスリットアクティブベース２２を当接して左へ移動させるように推し進めさせ、ネールスリットアクティブベース２２が左へ移動して所定の位置に至る場合に、第一スリット２２２が固定ベース２１の前端部のネール吐き出し口２１３に位置合わせられ（図５参照）、このようにして第一ネールカセット３０内に保存されるネール５０をネールガン本体１０の前端部の第一ネールスリット２２２に供給し、圧縮空気によってネール５０を打ち出すようにする。
【００１３】
また、図７ないし図１０に示すように、ネールカセットクランク２４を上向きに作動するように弾くことによってカム部２４２を枢軸２４３とのギャップがより小さい第二当接部２４２２によりネールスリットアクティブベース２２に当接してネールスリットアクティブベース２２を弾性部材２３に推し進められ右へ復位移動させ、ネールスリットアクティブベース２２が右へ移動して位置決められる場合に、第二ネールスリット２２３が固定ベース２１の前端部のネール吐き出し口２１３に位置合わせられ（図９参照）、こうする場合では、第二ネールカセット４０内に保存される他の仕様のネール６０をネールガン本体１０の前端部の第二ネールスリット２２３に供給でき、圧縮空気によって他の仕様のネール６０を打ち出す動作を実行できる。
【００１４】
本発明の場合では、並列的に二つのネールカセット３０，４０を配置し、それらの二つのネールカセット３０，４０には異なる仕様のネール５０，６０を収納でき、ユーザーがネールカセット切り換えユニット２０によって選択的に要するネールカセット３０または４０を選択使用でき、ネールカセット３０または４０内に収納されるネール５０または６０をネールガン本体１０の前端部へ供給でき、圧縮空気によってネール５０または６０を打ち出す動作をじっこうできるようにし、そのため、本発明は同時に仕様がそれぞれ異なるネールを収納でき、ユーザーが異なる仕様のネールを使用しようとする場合に単に所要するネールカセットを選択すればよく、頻繁的に異なる仕様のネールを交換する必要がなく、使用にはかなり便利である。
【００１５】
また、本実施の形態において単に二つのネールカセット３０と４０を有する実施例を開示するが、同様な原理に従って三つまたは四つのネールカセットを使用してもよく、即ち、ネールスリットアクティブベース２２に複数のネールスリット（図示省略）を設け、ネールスリットアクティブベース２２の連接するネールカセットの数を増やせばよく、そのため、本発明は同時に複数種の仕様のネールを収納することができる。
【図面の簡単な説明】
【図１】本発明のネールガン構造を示す斜視図である。
【図２】本発明のネールガン構造を示す分解斜視図である（ネールカセットが取り外される状態）。
【図３】本発明のネールカセットクランクが下向く場合を示す斜視図（一）である。
【図４】本発明のネールカセットクランクが下向く場合を示す斜視図（二）である。
【図５】本発明のネールカセットクランクが下向く場合を示す平面図（一）である。
【図６】本発明のネールカセットクランクが下向く場合を示す平面図（二）である。
【図７】本発明のネールカセットクランクが上向く場合を示す斜視図（一）である。
【図８】本発明のネールカセットクランクが上向く場合を示す斜視図（二）である。
【図９】本発明のネールカセットクランクが上向く場合を示す平面図（一）である。
【図１０】本発明のネールカセットクランクが上向く場合を示す平面図（二）である。
【符号の説明】
１０      ネールガン本体
２０      ネールカセット切り換えユニット
２１      固定ベース
２２      ネールスリットアクティブベース
２３      弾性部材
２４      ネールカセットクランク
３０      第一ネールカセット
４０      第二ネールカセット
５０、６０  ネール
２１１    開口
２１２    パネルセット
２１３    ネール吐き出し口
２１４    収納空間
２１５    枢着ベース
２１６    固定ホール
２１７    ガイドロッド
２２１    滑走ホール
２２２    第一ネールスリット
２２３    第二ネールスリット
２４１    弾き部
２４２    カム部
２４３    枢軸
２４２１  第一当接部
２４２２  第二当接部
【図１】
2004148418.tif 000003
【図２】
2004148418.tif 000004
【図３】
2004148418.tif 000005
【図４】
2004148418.tif 000006
【図５】
2004148418.tif 000007
【図６】
2004148418.tif 000008
【図７】
2004148418.tif 000009
【図８】
2004148418.tif 000010
【図９】
2004148418.tif 000011
【図１０】
2004148418.tif 000012